【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
各画素が複数の領域に分割された撮像素子で被写体像を撮像して撮像素子の分割領域ごとにＲＡＷ画像を生成する撮像手段と、
前記分割領域ごとに生成されたＲＡＷ画像から第一のＲＡＷ画像と、第二のＲＡＷ画像とを生成する生成手段と、
前記第一のＲＡＷ画像を現像処理して第一の画像データを生成する第一の現像手段と、
前記第一のＲＡＷ画像と前記第二のＲＡＷ画像とを圧縮し、第一のＲＡＷ画像データと第二のＲＡＷ画像データとを生成するＲＡＷ圧縮手段と、
前記第一の現像手段よりも処理負荷の高い現像処理を行うための第二の現像手段と
を備え、
前記第二の現像手段が、前記第一のＲＡＷ画像データ及び前記第二のＲＡＷ画像データをそれぞれ伸張して得られる前記第一のＲＡＷ画像及び前記第二のＲＡＷ画像を現像処理して第二の画像データを生成することを特徴とする撮像装置。
【請求項２】
前記第一のＲＡＷ画像は、前記撮像素子の分割領域ごとに生成されたＲＡＷ画像を加算して得られる画像であり、
前記第二のＲＡＷ画像は、前記撮像素子の分割領域ごとに生成されたＲＡＷ画像を減算して得られる画像であることを特徴とする請求項１に記載の撮像装置。
【請求項３】
前記第一のＲＡＷ画像は、前記撮像素子の分割領域ごとに生成されたＲＡＷ画像を加算して得られる画像であり、
前記第二のＲＡＷ画像は、前記撮像素子の分割領域ごとに生成されたＲＡＷ画像であることを特徴とする請求項１に記載の撮像装置。
【請求項４】
前記第一のＲＡＷ画像データ、および、前記第一の画像データの少なくともいずれかは、対応する前記第二の画像データが生成されたか否かを示す情報と関連づけられ、
前記情報が第二の画像データが生成されていないことを示し、かつ、前記撮像手段が撮像指示に応じた撮像を行っていない場合に、少なくとも前記第一のＲＡＷ画像を前記第二の現像手段が現像処理することを特徴とする請求項１乃至３のいずれか１項に記載の撮像装置。
【請求項５】
前記第一の画像データの再生画像を表示部に表示させる表示制御手段を更に備え、
前記第一のＲＡＷ画像データ、および、前記第一の画像データの少なくともいずれかは、対応する前記第二の画像データが生成されたか否かを示す情報と関連づけられ、
前記情報が第二の画像データが生成されていないことを示し、かつ、前記再生画像が前記表示部において拡大表示される場合に、少なくとも前記第一のＲＡＷ画像について前記第二の現像手段が現像処理を実行し、
前記表示制御手段は、前記再生画像に替えて前記第二の現像手段により生成された前記第二の画像データを前記表示部に表示することを特徴とする請求項１乃至４のいずれか１項に記載の撮像装置。
【請求項６】
前記第一の画像データは動画データであって、
前記動画データの再生動画を表示部に表示させる表示制御手段と、
前記撮像装置のユーザーからの操作指示を受け付ける操作手段と
を更に備え、
前記表示部に前記再生動画が表示されている場合に、前記操作手段が一時停止の操作指示を受け付けると、
前記表示制御手段は前記表示部における再生動画の表示を一時停止し、
前記第二の現像手段は前記一時停止に応じて前記表示部に表示されている動画に対応する少なくとも前記第一のＲＡＷ画像について現像処理を実行し、
前記表示制御手段はさらに、前記一時停止された前記再生動画に替えて、前記第二の現像手段により生成された前記第二の画像データを前記表示部に表示させることを特徴とする請求項１に記載の撮像装置。
【請求項７】
前記操作手段が前記一時停止された前記再生動画に替えて表示された画像の撮像指示を受け付けた場合に、前記第二の現像手段により生成された前記第二の画像データを圧縮して静止画ファイルを生成する圧縮手段と、
前記静止画ファイルを記録媒体に記録する記録手段と
を更に備えることを特徴とする請求項６に記載の撮像装置。
【請求項８】
前記第一のＲＡＷ画像と前記第二のＲＡＷ画像とから、前記分割領域ごとに生成されたＲＡＷ画像を復元する手段と、
前記復元されたＲＡＷ画像から位相差を検出する位相差検出手段と、
前記位相差に基づきデフォーカス量を算出するデフォーカス算出手段と、
前記デフォーカス量に基づき前記第一のＲＡＷ画像を補正する補正手段と
を更に備えることを特徴とする請求項１乃至７のいずれか１項に記載の撮像装置。
【請求項９】
各画素が複数の領域に分割された撮像素子で被写体像を撮像して撮像素子の分割領域ごとにＲＡＷ画像を生成する撮像工程と、
前記分割領域ごとに生成されたＲＡＷ画像から第一のＲＡＷ画像と、第二のＲＡＷ画像とを生成する生成工程と、
前記第一のＲＡＷ画像を現像処理して第一の画像データを生成する第一の現像工程と、
前記第一のＲＡＷ画像と前記第二のＲＡＷ画像とを圧縮し、第一のＲＡＷ画像データと第二のＲＡＷ画像データとを生成するＲＡＷ圧縮工程と、
を含む撮像装置の制御方法であって、
前記第一の現像工程が行う現像処理よりも処理負荷の高い現像処理を行う第二の現像工程を更に含み、
前記第二の現像工程では、前記第一のＲＡＷ画像データ及び前記第二のＲＡＷ画像データをそれぞれ伸張して得られる前記第一のＲＡＷ画像及び前記第二のＲＡＷ画像を現像処理して第二の画像データの生成が行われることを特徴とする撮像装置の制御方法。
【請求項１０】
各画素が複数の領域に分割された撮像素子で被写体像を撮像して撮像素子の分割領域ごとに生成したＲＡＷ画像を処理する画像処理方法であって、
前記分割領域ごとに生成されたＲＡＷ画像から第一のＲＡＷ画像と、第二のＲＡＷ画像とを生成する生成工程と、
前記第一のＲＡＷ画像を現像処理して第一の画像データを生成する第一の現像工程と、
前記第一のＲＡＷ画像と前記第二のＲＡＷ画像とを圧縮し、第一のＲＡＷ画像データと第二のＲＡＷ画像データとを生成するＲＡＷ圧縮工程と、
前記第一の現像工程で行われる現像処理よりも処理負荷の高い現像処理を行う第二の現像工程と
を含み、
前記第二の現像工程では、前記第一のＲＡＷ画像データ及び前記第二のＲＡＷ画像データをそれぞれ伸張して得られる前記第一のＲＡＷ画像及び前記第二のＲＡＷ画像を現像処理して第二の画像データの生成が行われることを特徴とする画像処理方法。
【手続補正２】
【補正対象書類名】明細書
【補正対象項目名】００１３
【補正方法】変更
【補正の内容】
【００１３】
上記目的を達成するための本発明は、撮像装置であって、
各画素が複数の領域に分割された撮像素子で被写体像を撮像して撮像素子の分割領域ごとにＲＡＷ画像を生成する撮像手段と、
前記分割領域ごとに生成されたＲＡＷ画像から第一のＲＡＷ画像と、第二のＲＡＷ画像とを生成する生成手段と、
前記第一のＲＡＷ画像を現像処理して第一の画像データを生成する第一の現像手段と、
前記第一のＲＡＷ画像と前記第二のＲＡＷ画像とを圧縮し、第一のＲＡＷ画像データと第二のＲＡＷ画像データとを生成するＲＡＷ圧縮手段と、
前記第一の現像手段よりも処理負荷の高い現像処理を行うための第二の現像手段とを備え、
前記第二の現像手段が、前記第一のＲＡＷ画像データ及び前記第二のＲＡＷ画像データをそれぞれ伸張して得られる前記第一のＲＡＷ画像及び前記第二のＲＡＷ画像を現像処理して第二の画像データを生成することを特徴とする。
【手続補正３】
【補正対象書類名】明細書
【補正対象項目名】００７２
【補正方法】変更
【補正の内容】
【００７２】
なお、ＲＡＷ伸張部１１４が差分ＲＡＷ画像を復元した場合には、フォーカス再調整を行うことも可能である。また、図１１（ｂ）に示すＡ領域とＢ領域が高感度画素と低感度画素の場合には、差分ＲＡＷ画像を復元することによってダイナミックレンジ調整を行うことも可能である。図１２は、フォーカス再調整のフローチャートの一例を示す。図１２に対応する処理は、例えばＳ５２４の高画質現像処理の一部として実行することができる。Ｓ１２０１にてＲＡＷ伸張部１１４は、Ｓ５２３で伸張された加算ＲＡＷ画像信号と差分ＲＡＷ画像信号を加算して１／２にしてＡ画像信号を復元し、伸張された加算ＲＡＷ画像信号と差分ＲＡＷ画像信号を減算して１／２にしてＢ画像信号を復元する。続くＳ１２０２で、高画質現像部１１２はＡ画像信号とＢ画像信号の位相差を検出する(位相差検出処理)。さらにＳ１２０３で、高画質現像部１１２は検出した位相差と撮像レンズの光学特性や二つの撮像素子の距離などからデフォーカス量（ピントずれ量）を算出する(デフォーカス算出処理)。Ｓ１２０４で、高画質現像部１１２は算出したデフォーカス量に基づき、伸張された加算ＲＡＷ画像信号を補正してフォーカス再調整処理（リフォーカス処理）を行う。なお、デフォーカス量の算出方法及びリフォーカス処理の詳細については公知の技術を利用することができるので、ここでの詳細な説明は省略する。このようにしてリフォーカス処理されたＲＡＷ画像につき、Ｓ５２４にて高画質現像部１１２は上述の高画質現像を行うことができる。なお、上記では、図１２のリフォーカス処理を高画質現像部１１２が実行する場合を説明した。しかし、それ以外にもこれらの処理を実行するリフォーカス処理部を別途設けて処理を行うこともできる。